(57)【要約】  【課題】  簡単な構成で、巻線分布を調整できる偏向ヨークを備えたカラー受像管装置を提供でする。  【解決手段】  フェライトコア１０の内面に、陰極線管の管軸側に突出した複数の凸部１６が形成されており、凸部１６は管軸方向にフェライトコア１０の内面に沿って形成されており、凸部１６のスクリーン面側端部は、フェライトコア１０のスクリーン面側の端部１２より電子銃側にあり、凸部１６の電子銃側の端部１６ｂは、フェライトコア１０の電子銃側の端部１１よりスクリーン面側にあり、フェライトコア１０のスクリーン面側の端部１２、及びフェライトコア１０の電子銃側の端部１１に、フェライトコア１０の外側に突出した突出部１３、１４が形成されており、偏向コイル８は、突出部１３、１４と凸部１６とにより位置が規制されている。【選択図】  図３
2006236929.tif 000002
【特許請求の範囲】
【請求項１】
内面にスクリーン面が形成されたパネルとファンネルとで構成された外囲器と、前記ファンネルのネック部内に設けられた電子銃と備えた陰極線管に、前記ファンネルの外部を囲むように偏向ヨークが設けられたカラー受像管装置であって、
前記偏向ヨークは、偏向コイルが巻回されたフェライトコアを含んでおり、
前記フェライトコアの内面に、前記陰極線管の管軸側に突出した複数の凸部が形成されており、前記凸部は前記管軸方向に前記フェライトコアの内面に沿って形成されており、
前記凸部の前記スクリーン面側の端部は、前記フェライトコアの前記スクリーン面側の端部より前記電子銃側にあり、前記凸部の前記電子銃側の端部は、前記フェライトコアの前記電子銃側の端部より前記スクリーン面側にあり、
前記フェライトコアの前記スクリーン面側の端部、及び前記フェライトコアの前記電子銃側の端部に、前記フェライトコアの外側に突出した突出部が形成されており、
前記偏向コイルは、前記突出部と前記凸部とにより位置が規制されていることを特徴とするカラー受像管装置。
【請求項２】
前記各突出部は、前記フェライトコアの前記管軸回りの外周上に形成されており、前記突出部間に形成された切り欠き部に前記偏向コイルが配置されている請求項１にカラー受像管装置。
【請求項３】
前記偏向コイルは、前記凸部の前記電子銃側の端部の位置及び前記凸部の前記スクリーン面側の端部の位置に、屈曲部が形成された部分がある請求項１又は２にカラー受像管装置。
【発明の詳細な説明】
【技術分野】
【０００１】
本発明は、テレビ受像機やコンピュータディスプレイなどに用いられるカラー受像管装置に関し、特に偏向ヨークの巻線のための構造に関する。
【背景技術】
【０００２】
テレビ受像機等に用いられるカラー受像管装置は、電子ビームを水平、垂直方向に偏向する偏向ヨークを備えている。偏向ヨークはガラス管であるファンネルの外周に設けられており、電子銃から射出される３本の電子ビームを上下・左右に偏向し、蛍光体スクリーン上を走査させるものである。偏向ヨークは、例えばサドル型の水平偏向コイルとトロイダル型の垂直偏向コイルとを備えており、垂直偏向コイルはフェライトコアに巻回されている。
【０００３】
図５に、従来のトロイダル型の垂直偏向コイル一例の斜視図を示している。垂直偏向コイル３０はフェライトコア３１に、電子銃側端部３２からスクリーン側端部３３に亘り巻回されている。
【０００４】
図５に示した例は、フェライトコア３１に垂直偏向コイル３０を直接巻回した例であるが、フェライトコア３１とは別個に樹脂製部材を取り付けて、電子銃側及びスクリーン側の巻き線配置を設定して、磁界分布を調整する技術も提案されている。
【０００５】
また、特許文献１に記載の構成は、フェライトコア３１の内周面に凸部と溝とを設け、巻き線分布を規制している。
【特許文献１】実公平７−３５２８９号公報
【発明の開示】
【発明が解決しようとする課題】
【０００６】
しかしながら、図５に示した構成は、垂直偏向コイル３０はフェライトコア３１を包み込むように巻回しているに止まり、巻き線の配設は位置や大きさが調整できるに止まっていた。
【０００７】
また、フェライトコア３１とは別個に樹脂製部材を取り付ける構成では、電子銃側及びスクリーン側で、磁界の分布調整が単独できるが、中間部での巻き線の流れは電子銃側及びスクリーン側の巻線位置で決まってしまい、中間部単独では磁界分布調整ができなかった。また、部品点数も増え、組立工数も増えてしまう。
【０００８】
特許文献１に記載の構成では、フェライトコアの端部には垂直偏向コイルの配置を規制する構造はなく、巻線配置を容易かつ確実にするというものではなかった。
【０００９】
本発明は、前記のような従来の問題を解決するものであり、簡単な構成で、巻線分布を調整できる偏向ヨークを備えたカラー受像管装置を提供することを目的とする。
【課題を解決するための手段】
【００１０】
前記目的を達成するため、本発明のカラー受像管装置は、内面にスクリーン面が形成されたパネルとファンネルとで構成された外囲器と、前記ファンネルのネック部内に設けられた電子銃と備えた陰極線管に、前記ファンネルの外部を囲むように偏向ヨークが設けられたカラー受像管装置であって、前記偏向ヨークは、偏向コイルが巻回されたフェライトコアを含んでおり、前記フェライトコアの内面に、前記陰極線管の管軸側に突出した複数の凸部が形成されており、前記凸部は前記管軸方向に前記フェライトコアの内面に沿って形成されており、前記凸部の前記スクリーン面側の端部は、前記フェライトコアの前記スクリーン面側の端部より前記電子銃側にあり、前記凸部の前記電子銃側の端部は、前記フェライトコアの前記電子銃側の端部より前記スクリーン面側にあり、前記フェライトコアの前記スクリーン面側の端部、及び前記フェライトコアの前記電子銃側の端部に、前記フェライトコアの外側に突出した突出部が形成されており、前記偏向コイルは、前記突出部と前記凸部とにより位置が規制されていることを特徴とする。
【発明の効果】
【００１１】
本発明によれば、簡単な構成で、巻線分布を調整できる偏向ヨークを備えた陰極線管装置を提供することができる。
【発明を実施するための最良の形態】
【００１２】
本発明の陰極線管装置は、偏向コイルをフェライトコアに形成された突出部と凸部とで位置規制できるので、簡単な構成で、巻線分布を調整できる偏向ヨークを備えた陰極線管装置を提供することができる。
【００１３】
前記カラー受像管装置においては、前記各突出部は、前記フェライコアの前記管軸回りの外周上に配置されており、前記突出部間に形成された切り欠き部に前記偏向コイルが配置されていることが好ましい。この構成によれば、偏向コイルの位置規制が容易かつ確実になる。
【００１４】
また、前記偏向コイルは、前記凸部の前記電子銃側の端部の位置及び前記凸部の前記スクリーン面側の端部の位置に、屈曲部が形成された部分があることが好ましい。この構成によれば、管軸方向において、凸部形成領域に隣接した領域の偏向コイルをフェライコアの内面に沿って広がるように配設でき、凸部形成領域とその隣接領域とで配設パターンを異なるようにすることができる。
【００１５】
以下、本発明の一実施の形態について、図面を参照しながら説明する。図１は、本発明の一実施の形態に係るカラー受像管装置の側面図及び部分断面図である。本図に示したカラー受像管装置は、陰極線管１と偏向ヨーク６とを備えている。陰極線管１は、外囲器及びこれに付属した構成部品とを備えている。外囲器は、内面にスクリーン面２ａが形成された前面平面パネル２とファンネル３とで構成されている。ファンネル３のネック部４内には、３本の電子ビームを放出する電子銃５が設置されている。また、ファンネル３の外部を囲むように、偏向ヨーク６を装着している。
【００１６】
スクリーン面２ａは、蛍光体層で形成されており、蛍光体層は、青、緑、赤に発光するドット状又はストライプ状の３色の蛍光体層である。スクリーン面２ａに対向してシャドウマスク７が配置されている。シャドウマスク７には、多数の電子ビーム通過孔が形成されている。
【００１７】
偏向ヨーク６は、サドル型の水平偏向コイル（図示せず）とトロイダル型の垂直偏向コイル８とを備えており、水平、垂直偏向磁界を発生する。この水平、垂直偏向磁界により、３本の電子ビームは偏向され、シャドウマスク７を介してスクリーン面２ａ上を水平、垂直走査することにより、カラー画像が表示されることになる。
【００１８】
水平偏向コイルは、例えば樹脂製の絶縁枠９の内側（ファンネル３側）に配置されており、垂直偏向コイル８はフェライトコア１０に巻回して形成されている。垂直偏向コイル８の巻回されたフェライトコア１０は、絶縁枠９の外表面を覆うように配置されており、水平偏向コイルと垂直偏向コイル８とは、絶縁枠９によって絶縁されている。
【００１９】
図２は、本実施の形態に係るフェライトコア１０単体の斜視図である。図２において、Ｚ軸は陰極線管１の管軸、１１は電子銃側端部、１２はスクリーン側端部を示している。電子銃側端部１１には突出部１３が、スクリーン側端部１２には突出部１４が形成されている。突出部１３、１４はそれぞれフェライトコア１０の外側に、すなわちＺ軸から遠ざかる方向に突出している。突出部１３、１４が、フェライトコア１０のうちＺ軸回りの外周上に所定ピッチで配置されていることにより、突出部１３間には切り欠き部１３ａが、突出部１４間には切り欠き部１４ａが形成されている。
【００２０】
フェライトコア１０の内面には、複数の凸部１６がＺ軸回りの周方向に配置されており、凸部１６間には溝１７が形成されている。凸部１６は、フェライトコア１０の内側に、すなわちＺ軸側に向かって突出している。各凸部１６は、Ｚ軸方向についてみると、電子銃側端部１１側からスクリーン側端部１２側に向かって、フェライトコア１０の内面に沿って形成されている。
【００２１】
凸部１６の電子銃側端部１６ｂは、フェライトコア１０の電子銃側端部１１より内側（スクリーン側）にある。このため、フェライトコア１０の内面のうち、電子銃側端部１６ｂと電子銃側端部１１との間に、符合１８で示した凸部１６の形成されていない領域がある。以下、この領域のことを電子銃側内面領域１８と呼ぶ。また、符合１９で示した凸部１６が形成された領域を中間領域１９と呼ぶ。
【００２２】
図３は、図２に示したフェライトコア１０に垂直偏向コイル８を巻回した状態における外観斜視図である。垂直偏向コイル８は、切り欠き部１４ａ、１３ａ及び溝１７により位置が規制されている。電子銃側内面領域１８においては、垂直偏向コイル８は、凸部１６の電子銃側端部１６ｂの位置から切り欠き部１３ａの位置に向かうように配置されている。また、フェライトコア１０の外面においては、垂直偏向コイル８は、電子銃側の切り欠き部１３ａの位置からスクリーン側の切り欠き部１４ａの位置に向かうように配置されている。
【００２３】
図４は、図３に示したフェライトコア１０の内面側の形状を示す斜視図である。本図は、垂直偏向コイル８が巻回された状態を示している。また、内面側の形状を示すために、フェライトコア１０の一部を切断して除去した状態の斜視図を示している。
【００２４】
凸部１６のスクリーン側端部１６ａは、フェライトコア１０のスクリーン側端部１２より内側（電子銃側）にある。このため、フェライトコア１０の内面のうち、スクリーン側端部１２と凸部１６のスクリーン側端部１６ａとの間に、符合１５で示した凸部１６の形成されていない領域がある。以下、この領域のことをスクリーン側内面領域１５と呼ぶ。
【００２５】
垂直偏向コイル８は、切り欠き部１４ａ及び溝１７の位置の配置されており、切り欠き部１４ａ及び溝１７により位置が規制されている。また、スクリーン側内面領域１５においては、垂直偏向コイル８は、凸部１６のスクリーン側端部１６ａから切り欠き部１４ａに向かうように配置されている。
【００２６】
図３、４に示した構成によれば、垂直偏向コイル８に各種の配設パターンを設定することができる。具体的には、垂直偏向コイル８を配設する溝１７を選択することにより、中間領域１９における配設パターンを決定することができる。この場合、図４の構成のように、一定範囲の溝１７を選択し、各溝１７のそれぞれに垂直偏向コイル８を配設することにより、垂直偏向コイル８が集中して配設された部分（配設密度の高い部分）を形成することができる。
【００２７】
また、垂直偏向コイル８を配設する切り欠き１３ａを選択することにより、図３に示したように、電子銃側内面領域１８の配設パターンを決定することができる。同様に、垂直偏向コイル８を配設する切り欠き１４ａを選択することにより、図４に示したように、スクリーン側内面領域１５における配設パターンを決定することができる。
【００２８】
したがって、溝１７、切り欠き１３ａ、１４ａの選択により、電子銃側内面領域１８、中間領域１９及びスクリーン側内面領域１５の配設パターンを、それぞれ単独で決定することができる。この場合、これらの配設パターンは、それぞれ異なるものにすることができる。これは、垂直偏向コイル８を配置する切り欠き１３ａ、１４ａを適宜選択することにより、凸部１６のスクリーン側端部１６ａ（図４）の位置と電子銃側端部１６ｂ（図３）の位置において、垂直偏向コイル８に屈曲部が形成された部分を形成することができるためである。
【００２９】
図３、４の例では、中間領域１９では、垂直偏向コイル１８の分布が密になっている。これに対して、電子銃側内面領域１８、スクリーン側内面領域１５においては、Ｚ軸方向についてみると、フェライトコア１０の内面に沿って、垂直偏向コイル８の巻線間の間隔が広がるように配列された部分がある。
【００３０】
このように３つの領域で、別個に配設パターンを設定できるので、電子銃側からスクリーン側にかけて、磁界分布の設定も変化させることができる。例えば、電子銃側内面領域１８及びスクリーン側内面領域１５でピンクッション歪磁界とし、中間領域１９で、強バレル歪磁界とすることができる。このような磁界分布によれば、回路補正を用いることなく、上下、左右ラスタ歪を調整することができ、簡単な構造で高性能な画像が実現できることになる。
【００３１】
また、フェライトコア単体で巻線分布を制御できるので、フェライトコアとは別個の樹脂製部材や、磁界分布を調整する磁性体を用いる必要がない。このため、部品点数を抑えて製造工数を削減でき、しかも別個の部品を装着することによるうなり音の発生も防止することができる。
【産業上の利用可能性】
【００３２】
以上のように本発明によれば、簡単な構成で、巻線分布を調整できる偏向ヨークを備えたカラー受像管装置を提供できるので、本発明は、例えばテレビ受像機、コンピュータディスプレイに用いられるカラー受像管装置として有用である。
【図面の簡単な説明】
【００３３】
【図１】本発明の一実施の形態に係るカラー受像管装置の側面図及び部分断面図。
【図２】本発明の一実施の形態に係るフェライトコアの外観斜視図。
【図３】本発明の一実施の形態に係る垂直偏向コイルを巻回したフェライトコアの外観斜視図。
【図４】本発明の一実施の形態に係るフェライトコアの内面側の形状を示す斜視図。
【図５】従来のトロイダル型の垂直偏向コイル一例の斜視図。
【符号の説明】
【００３４】
１  陰極線管
２  前面平面パネル
３  ファンネル
５  電子銃
６  偏向ヨーク
８  垂直偏向コイル
１０  フェライトコア
１１  フェライトコアの電子銃側端部
１２  フェライトコアのスクリーン側端部
１３，１４  突出部
１３ａ，１４ｂ  切り欠き部
１６  凸部
１５  スクリーン側内面領域
１８  電子銃側内面領域
１７  溝
１９  中間領域
【図１】
2006236929.tif 000003
【図２】
2006236929.tif 000004
【図３】
2006236929.tif 000005
【図４】
2006236929.tif 000006
【図５】
2006236929.tif 000007